(57)【要約】      （修正有）【課題】睫毛エクステンションなどの化粧に使用する道具の安定性を保ちながら、作業台と被施術者との間の移動を無くすことで施術時間を短縮できる化粧補助具を提供する。【解決手段】化粧道具３を保持する保持面を有したサポーター２を備え、前記サポーター２の本体は、弾性を有していることを特徴とする、化粧補助具。【選択図】図１
2019217091.tif 000002
【特許請求の範囲】
【請求項１】
身体に装着して用いるサポーターを備え、
前記サポーターは、弾性を有するサポーター本体と、化粧道具を保持する保持面と、を有していることを特徴とする、化粧補助具。
【請求項２】
前記保持面は、前記サポーター本体の片面に設けられていることを特徴とする、請求項１に記載の化粧補助具。
【請求項３】
前記保持面は、面ファスナーであることを特徴とする、請求項１又は２に記載の化粧補助具。
【請求項４】
前記サポーターには、指を通す指通しが設けられていることを特徴とする、請求項１〜３の何れかに記載の化粧補助具。
【請求項５】
前記サポーター本体の、保持面を有する面の反対の面には、吸水性又は／及び吸湿性に優れた保護面が設けられていることを特徴とする、請求項１〜４の何れかに記載の化粧補助具。
【請求項６】
化粧道具を備え、
前記化粧道具の少なくとも１つは、前記サポーターに着脱可能であることを特徴とする、請求項１〜５の何れかに記載の化粧補助具。
【請求項７】
前記化粧道具は、つけ睫毛を載置するエクステンショントレイであることを特徴とする、請求項６に記載の化粧補助具。
【請求項８】
前記化粧道具は、グルートレイであることを特徴とする、請求項６又は７に記載の化粧補助具。
【請求項９】
前記化粧道具は、ゴム製のパッドであることを特徴とする、請求項６〜８の何れかに記載の化粧補助具。
【請求項１０】
前記化粧道具は、チークやファンデーションを備えたパレットであることを特徴とする、請求項６〜９の何れかに記載の化粧補助具。
【発明の詳細な説明】
【技術分野】
【０００１】
本発明は、化粧時間を短縮するための、化粧補助具に関する。
【背景技術】
【０００２】
人類は古来より、儀式やファッションなど様々な目的で、顔に化粧をするという文化を受け継いでいる。今日でも様々な手法の化粧が、様々な目的のために、人々の間で行われている。
【０００３】
様々ある化粧のうち、目元に施す化粧の一つの手法として、つけ睫毛というものがある。つけ睫毛は、睫毛の本数を増やし、睫毛の長さを伸ばすことで、目元を華やかにすることが可能となる。このつけ睫毛の一種に、睫毛エクステンションと呼ばれる手法がある。この睫毛エクステンションは、専用のグルーと呼ばれる接着剤で、地毛の睫毛一本一本に人工毛を接着するもので、見た目の自然さや耐久性に優れている。睫毛エクステンションは、化粧を希望する本人自身が行うのは難しいため、専門のサロンで技術を持った施術者に行ってもらうのが一般的である。
【０００４】
睫毛エクステンションは地毛の一本一本に人工毛を接着するという技法のため、施術時間が長くなりがちで、施術者にも被施術者にも負担がかかっている。そのため、安全と仕上がりの良さを保ちつつも、効率よく施術を行い、施術時間を短くしたいという需要が常に存在している。
【０００５】
睫毛エクステンションを効率よく行うための製品は、以前から様々なものが開発されている。例えば「特許文献１」には、支持基材と、つけ睫毛を支持基材上に保持するための付け睫毛保持部と、付け睫毛を睫毛に接着するための接着剤を支持基材上に保持するための接着剤保持部とを備えている付け睫毛保持部材について記載されている。これにより、睫毛に装着するつけ睫毛一式を保持することと、つけ睫毛に接着剤を付けることと、二つの動作を一つのつけ睫毛保持部材の上で行うことができる。
【先行技術文献】
【特許文献】
【０００６】
【特許文献１】特開２０１５−０８１３８７公報
【発明の概要】
【発明が解決しようとする課題】
【０００７】
通常、睫毛エクステンションは、まずエクステンション用のトレイ（以下、エクステトレイ）の上や、で、つけ睫毛の形状を整える作業と、形を整えたつけ睫毛に接着剤を塗布する作業と、が行われ、次に、そのつけ睫毛を被施術者の睫毛に装着する作業が行われる。しかし、特許文献１のトレイや、その他市販されているトレイや道具は、机の上や移動式の作業台の上に置くものである。つまり、机の上又は作業台の上で行う作業と、被施術者の睫毛に行う作業と、があり、施術者は両者の間を行ったり来たりすることとなる。さらに、この動作の回数は、サロンのメニューや被施術者の希望によって異なるものの、通常、睫毛全体に行う場合は、少なくとも被施術者の睫毛の本数分、必要となるのである。
机や作業台と、被施術者との間を移動する一回一回の時間は、大した時間ではないものの、これだけの回数となると、合計すると膨大な時間となる。この移動時間をなくすことができれば、大幅に施術時間を短縮できるようになり、被施術者と施術者の両方の負担を減らすことができる。
【０００８】
本発明は、上記の点に鑑みてなされたものである。本発明は、睫毛エクステンションに限らず、化粧に使用する道具の安定性を保ちながら、施術時間を短縮することができる、化粧補助具を提供することを課題とする。
【課題を解決するための手段】
【０００９】
上記課題を解決するために、本発明は、身体に装着して用いるサポーターを備え、前記サポーターは、弾性を有するサポーター本体と、化粧道具を保持する保持面と、を有していることを特徴とする、化粧補助具。
【００１０】
このような構成とすることで、使用者はサポーターを手や腕にしっかりと装着できるため、サポーターに設置する道具も揺れず、安定して作業を行うことができる。
【００１１】
本発明の好ましい形態では、前記保持面は、前記サポーター本体の片面に設けられていることを特徴とする。
このような構成とすることで、それぞれの使用者の使いやすい位置に道具を設置することができる。
【００１２】
本発明の好ましい形態では、前記保持面は、面ファスナーであることを特徴とする。
このような構成とすることで、設置や取り外しが容易となり、さらに化粧道具、及びサポーターを繰り返し使用することができる。
【００１３】
本発明の好ましい形態では、前記サポーターには、指を通す指通しが設けられていることを特徴とする。
このような構成とすることで、サポーターの一方の端部を指に引っかけることができるため、サポーターを伸ばしつつ固定することが、片手でも容易に行える。
【００１４】
本発明の好ましい形態では、前記サポーター本体の、保持面を有する面の反対の面には、吸水性又は／及び吸湿性に優れた保護面が設けられていることを特徴とする。
このような構成とすることで、装着時の蒸れを抑えられるため、装着者は、快適な状態で施術を行うことができる。
【００１５】
本発明の好ましい形態では、化粧補助具は、化粧道具を備え、
前記化粧道具の少なくとも１つは、前記サポーターに着脱可能であることを特徴とする。
このような構成とすることで、化粧に必要な道具を、サポーターを装着した手や腕に設置することが可能となる。化粧道具を手元に設置できるため、道具を机の上に設置するよりも、作業時間を短くすることができる。また、化粧用の道具をセットとして提供でき、購入者の手間を省くこともできる。
【００１６】
本発明の好ましい形態では、前記化粧道具は、つけ睫毛を載置するエクステンショントレイであることを特徴とする。
本発明の好ましい形態では、前記化粧道具は、グルートレイであることを特徴とする。
本発明の好ましい形態では、前記化粧道具は、ゴム製のパッドであることを特徴とする。
このような構成とすることで、睫毛エクステンションに必要な道具を、サポーターを装着した腕や手に設置することが可能となる。必要な道具を全て手元に設置できるため、机に道具を置いて施術をするよりも、施術時間を短くすることができる。また、睫毛エクステンション用の道具をセットとして提供でき、購入者の手間を省くこともできる。
【００１７】
本発明の好ましい形態では、前記化粧道具は、チークやファンデーションを備えたパレットであることを特徴とする。
このような構成とすることで、ベースメイクなどに必要な道具を、サポーターを装着した腕や手に設置することが可能となる。道具を手元に設置できるため、机に道具を置いて化粧を行うよりも、施術時間を短くすることができる。また、化粧に使用する道具をセットとして提供でき、購入者の手間を省くこともできる。
【発明の効果】
【００１８】
本発明によれば、道具の安定性を保ちつつ、作業時間を短くすることができる化粧補助具を、提供することができる。
【図面の簡単な説明】
【００１９】
【図１】実施形態１に係る、化粧補助具である。
【図２】実施形態１に係る、サポーターの図である。
【図３】その他の実施形態に係る、サポーターの図である。
【図４】実施形態１に係る、エクステンショントレイの図である。
【図５】実施形態１とその他の実施形態に係る、グルートレイの図である。
【図６】実施形態１に係る、化粧補助具の使用例である。
【図７】実施形態１に係る、化粧補助具の使用状況を示す図である。
【発明を実施するための形態】
【００２０】
以下、図１〜７を用いて、本発明の実施形態について説明する。
【００２１】
本実施形態の化粧補助具１は、睫毛エクステンションに使用するためのものである。図１は、本実施形態の化粧補助具１を示している。本実施形態の化粧補助具１は、サポーター２と、化粧道具３と、を備え、化粧道具３としてエクステンショントレイ５と、グルートレイ７と、丸型アイラッシュパッド６１と、長方形型アイラッシュパッド６２と、を備えている。
【００２２】
ただし、実施形態はこれに限らない。例えば、サポーター２と２つのエクステンショントレイ５をセットにした化粧補助具、サポーター２のみの化粧補助具、など、種類や数を自由に増減して良い。
【００２３】
まず、サポーター２について説明する。図２は、本実施形態のサポーター２を示している。（ア）はサポーター２の表面（装着時、外側になる面）、（イ）はサポーター２の裏面（装着時、装着者の腕側に接する面）、（ウ）はＡ−Ａ’線断面拡大図である。
【００２４】
本実施形態のサポーター２は、サポーター本体２１と、保持面２２と、保護面２３と、指通し２４と、固定部２５と、を有している。（ウ）に示されるように、サポーター本体２１の一方の面に保持面２２、反対の面に保護面２３、が設けられている。
【００２５】
また、本実施形態のサポーター２は、全体が、帯状に形成され、その長手方向の両端がそれぞれ半円形状に縁取りされている。サポーター２の長手方向の一端には、サポーター２を腕に留めるための角丸四角形型の固定部２５が取り付けられている。サポーター２の長手方向の他端には、指通し２４の穴が設けられている。
【００２６】
サポーター本体２１は、弾性を有している。そのため、施術者９１が、サポーター２を少し伸ばしながら腕に巻いて留めることで、サポーター本体２１の収縮する力によって、サポーター２はしっかりと腕と手に固定される。サポーター２がしっかりと腕と手に固定されることで、サポーター２に設置された化粧道具３の揺れを防ぐことができる。これにより、本実施形態を装着した施術者９１は、安定した状態で睫毛エクステンションの作業を行うことができる。
【００２７】
本実施形態の保持面２２は、サポーター本体２１の片面全体に設けられている。全体に保持面２２を設けることで、施術者９１は好きな位置に道具を載置することが可能となる。このようにしたのは、施術者９１によって、使いやすい道具の配置は異なるためである。
【００２８】
また、本実施形態の保持面２２は、弾性を有しているため、サポーター本体２１と共に伸び縮みすることができる。
【００２９】
さらに、保持面２２は、フック面のファスナーがくっつく素材でできている（以下、ループ面）。ループ面は通常、柔らかく触り心地の良い素材が用いられる。保持面２２は、装着した際に表側に露出する面であるため、保持面２２を面ファスナーのフック面とすると、チクチクとした面が被施術者９２（エクステンションサロンの顧客）に当たってしまい、不快感を与えてしまうおそれがある。そのため、当たっても痛くない素材である、ループ面を保持面２２に用い、サポーター２に載置する化粧道具３にはフック面を設けるのが良い。
【００３０】
面ファスナーであるため、化粧道具３をサポーター２に設置するのも、取り外すのも容易であり、何度も繰り返すことができる。サポーター２から化粧道具３を取り外せるため、サポーター２を洗濯することも可能であり、清潔な状態に保つことができる。
【００３１】
ただし、実施形態はこれに限らない。例えば長方形に形成したループ面の面ファスナーを、サポーター本体の片面に規則的に配列するようなものでも構わない。
【００３２】
本実施形態の保護面２３は、吸湿性及び吸水性を有しており、サポーター本体２１のうち、保持面２２が設けられた面の反対側の面の全体に設けられている。この面は、サポーター２を装着した際、装着者の腕又は手に接触する面である。人体からは、常に水分が蒸発しているため、吸湿性や吸水性のない素材で覆われていると、人体の覆われた部分が湿気によりかぶれてしまう。そのため、使用時の蒸れを防ぎ、快適な状態で施術を行えるように、吸湿性及び吸水性に優れた素材を、サポーター本体２１に設けている。
【００３３】
また、保護面２３は、弾性を有した素材でもあるため、サポーター本体２１と共に伸び縮みすることができる。
【００３４】
ただし、実施形態はこれに限らない。サポーター本体２１の素材を、弾性だけでなく、吸水性及び／又は吸湿性をも備えたものとし、保持面２２とサポーター本体２１とを一体とすることも考えられる。
【００３５】
本実施形態の指通し２４は、サポーター本体２１の長手方向の一方の端部寄りに、設けられた穴である。この指通し２４があることで、穴を指に引っかけることができるため、サポーター２の装着が片手でも容易となる。指通し２４が無い場合、サポーター２を装着する手の指と手のひらとで、サポーター２の端部を挟まなければならず、煩わしい。一人で簡単に、素早く装着できるように、指通し２４をサポーター２に設けてある。
【００３６】
実施形態はこれに限らない。例えば図３（ア）に示されるように、紐状の指通し２４Ｂのものも考えられる。
【００３７】
本実施形態の固定部２５は、指通し２４が設けられた位置とは反対側の、サポーター２の長手方向の端部に設けられている。固定部２５は、全体が角丸長方形である。固定部２５には、保持面２２と対になるフック面の面ファスナー２５ａが設けられているため、装着者は固定部２５を保持面２２に固定することで、サポーター２を腕や手に固定することができる。
【００３８】
本実施形態では、固定部２５は、サポーター本体２１からはみ出た状態で取り付けられているが、実施形態はこれに限らない。例えば、図３（ア）に示されるように、固定部２５Ｂは、サポーター２Ｂの内部に収まる大きさと位置に設けられていても良い。
【００３９】
また、本実施形態の固定部２５は面ファスナー２５ａを備えているが、実施形態はこれに限らない。例えば、固定部はボタン穴とボタンとしてもよい。
【００４０】
本実施形態のサポーター２について、全体の形状が帯状であるものを説明したが、実施形態はこれに限らない。例えば図３（イ）に示されるような指出し手袋型のサポーター２Ｃであっても良い。
【００４１】
図４は本実施形態の化粧道具３のひとつ、エクステンショントレイ５を示している。（ア）はエクステンショントレイ５の正面図、（イ）はエクステンショントレイ５の背面図、（ウ）はエクステンショントレイ５の右側面図、（エ）はエクステンショントレイ５に丸型アイラッシュパッド６１とエクステンション用のつけ睫毛シート８を貼り付けた状態を示した図、である。本実施形態のエクステンショントレイ５は、（イ）に示されるように、エクステンショントレイ本体５１の裏面にフック面の面ファスナー５２が貼り付けられている。これにより、本実施形態のサポーター２の保持面２２に、エクステンショントレイ５を設置することが可能となる。
【００４２】
また、サポーター２への設置手段が面ファスナー５２のため、取り付け・取り外しが容易であり、さらに繰り返し使うことができる。
【００４３】
本実施形態のエクステンショントレイ５は、つけ睫毛シート８を貼り付ける位置を示す直線と、貼り付けたつけ睫毛シート８に接着されているつけ睫毛８１の長さを示す数字と、が記載されている。このようにすることで、異なる長さのつけ睫毛８１を、混乱することなく被施術者９２の睫毛に取り付けていくことが可能である。
【００４４】
ただし、実施形態はこれに限らず、その他のデザインのエクステンショントレイを用いて良い。
【００４５】
本実施形態の化粧補助具１には、化粧道具３としてさらにアイラッシュパッド６が含まれている。このアイラッシュパッド６は、粘着性を有したゴム素材でできている。このアイラッシュパッド６は、ファン（エクステンション用のつけ睫毛シートから取り外された、数本のまとまったつけ睫毛）を置いて、形を整えるためのものである。本実施形態のアイラッシュパッド６は、丸型６１と長方形型６２と、２種類用意している。施術者９１は、使いやすい方を選んで、エクステンショントレイ５の上にアイラッシュパッド６を貼り付けて、使用する。
【００４６】
本実施形態では、エクステンショントレイ５の上に置くため、アイラッシュパッド６には裏面にフック面の面ファスナーは設けられていない。ただし、実施形態はこれに限らず、例えばサポーター２に設置できるように、アイラッシュパッドの裏面に面ファスナーを取り付けたものであってもよい。
【００４７】
本実施形態の化粧補助具１には、化粧道具３としてさらにグルートレイ７が含まれている。図５（ア）は、本実施形態のグルートレイ７を示している。グルートレイ７は、つけ睫毛８１を被施術者９２の睫毛に接着するための接着剤（グルー）を入れるための容器である。本実施形態のグルートレイ７は、半円形のグルー入れ７１に、指輪形状の固定具７２を形成したものを用いている。図６の使用例に示すように、施術者９１は、本実施形態のグルートレイ７を指に装着して使用する。
【００４８】
化粧道具３に含めるグルートレイの実施形態はこれに限らない。例えば、指ではなくサポーター２に設置できるようにしてもよい。図５（イ）に示すように、凹んだ形状のグルー入れ７１Ａが形成されたトレイ本体７３Ａの裏面に、固定具７２Ａとして面ファスナーを取り付けたグルートレイ７Ａ、を化粧道具３としても良い。
【００４９】
図６は、施術者９１がサポーター２を装着し、化粧道具３をサポーター２や手に設置した状態を示した図である。図６に示すように、手及び腕に、睫毛エクステンションに使用する道具の全てを設置できるため、図７のように、被施術者の傍でつけ睫毛を整えたり、グルーをつけたり、などの作業が行えるようになった。従来のように被施術者９２と道具を置いた机の上との間を行き来する必要がなくなったため、施術にかかる時間を短縮することが可能となった。
【符号の説明】
【００５０】
１  化粧補助具
２  サポーター
２１  サポーター本体
２２  保持面
２３  保護面
２４  指通し
２５  固定部
２５ａ  面ファスナー
２Ｂ  サポーター（その他の実施形態）
２１Ｂ  サポーター本体（その他の実施形態）
２３Ｂ  保護面（その他の実施形態）
２４Ｂ  指通し（その他の実施形態）
２５Ｂ  固定部（その他の実施形態）
２Ｃ  サポーター（その他の実施形態）
２２Ｃ  保持面（その他の実施形態）
２３Ｃ  保護面（その他の実施形態）
３  化粧道具
５  エクステンショントレイ
５１  エクステンショントレイ本体
５２  面ファスナー
６  アイラッシュパッド
６１  丸型アイラッシュパッド
６２  長方形型アイラッシュパッド
７  グルートレイ
７１  グルー入れ
７２  固定具
７Ａ  グルートレイ（その他の実施形態）
７１Ａ  グルー入れ（その他の実施形態）
７３Ａ  トレイ本体（その他の実施形態）
８  つけ睫毛シート
８１  つけ睫毛
９１  施術者
９２  被施術者
【図１】
2019217091.tif 000003
【図２】
2019217091.tif 000004
【図３】
2019217091.tif 000005
【図４】
2019217091.tif 000006
【図５】
2019217091.tif 000007
【図６】
2019217091.tif 000008
【図７】
2019217091.tif 000009